(57)【要約】【課題】プレフィルドシリンジに指を懸ける部分に違和感の無いストッパー機構を付与する。また、特に粘度の低い薬液の充填に好適なストッパー機構付きプレフィルドシリンジを安価に提供する。【解決手段】ストッパー１は、ストッパー部１１と係合爪部１３からなる。ストッパー部１１はバレル２の内腔２３より小径の透孔１２を有しており、略リング状に形成されている。係合爪部１３はこのストッパー部１１の外周縁に、軸対称に少なくとも一対設けられており、係合爪部１３には係合爪１４が設けられている。【選択図】　　　図１
2004024574.tif 000002
【特許請求の範囲】
【請求項１】
バレルの内腔より小径の透孔を有する略リング状のストッパー部と、該ストッパー部の外周縁に軸対称に設けられた少なくとも一対の係合爪部を含み、該係合爪部にフランジと係合する係合爪が設けられてなるプレフィルドシリンジ用ストッパー。
【請求項２】
係合爪部が左右二対設けられてなる請求項１に記載のストッパー。
【発明の詳細な説明】
【０００１】
【発明の属する技術分野】
本発明は、プレフィルドシリンジ用ストッパーに関する。特に予め薬液を充填した所謂プレフィルドシリンジに好適なガスケット抜け防止ストッパーに関する。
【０００２】
【従来の技術】
プレフィルドシリンジにおいては、バレルに充填された薬液は、その基端側開口から挿着されたガスケットによって密封されるが、バレル内に空気が存在すると単純にはガスケットの挿着が出来ない。そこで、プレフィルドシリンジのガスケットの打栓方法について、従来、スリーブ打栓方式と真空打栓方式が採用されている。
スリーブ打栓方式は、バレル内にバレルの内径よりも少し小さい外径の金属のパイプを挿入し、このパイプ内にガスケットを押しこんだ後、パイプだけを引き出すことによって打栓するという方式であり、バレルにストッパーを設けると、それが邪魔になってガスケット内に金属のパイプを挿入することが出来ないという問題があり、ディスポシリンジにおけるようなガスケット抜け防止のストッパーを設けることが困難であった。
【０００３】
一方、真空打栓方式は、バレルを真空雰囲気に置いてバレル内を真空状態にし、バレルの開口部にガスケットを挿着した後、真空雰囲気を大気圧に戻すことによりガスケットを打栓する方式であり、バレルにストッパーを設けることは可能であるが、設備にコストがかかるという欠点を有している上、粘度の低いさらさらした薬液の場合、真空にした時に薬液が突沸するという問題があり、バレル内に充填される薬液が限定されるという欠点を有している。
【０００４】
このような事情から、スリーブ方式を採用したプレフィルドシリンジにストッパーを組合せる方法が種々検討されており、フランジの後面全体を覆うように被せて使用するストッパー（特許第３０７４６５５号公報、図１）や、バレル基端の開口に装着するストッパー機能付きフランジ（特公平８−８９２９号公報の図１、特許第２９１１０８６号公報の図４、特許第３２５６４２１号公報の図１０など）が知られている。
しかしながら、前者のストッパーは嵩張るために扱い難い上、指を懸ける部分に段差が生じるため違和感があるという欠点を有している。また、後者のストッパー機能付きフランジは、バレルとの嵌合が甘くなる虞がある上、前者同様、指を懸ける部分に違和感があるという欠点を有している。
【０００５】
【発明が解決しようとする課題】
本発明は、如上の事情に鑑みてなされたもので、スリーブ打栓方式で製造されるプレフィルドシリンジに指を懸ける部分に違和感の無いストッパー機構を付与することを目的とする。また、本発明は、プレフィルドシリンジ、特に粘度の低い薬液の充填に好適なストッパー機構付きプレフィルドシリンジを安価に提供することを目的とする。
【０００６】
【課題を解決するための手段】
本発明者等は上記課題を解決するために、鋭意検討の結果、ストッパーを出来るだけ小型にし、フランジの指懸け部分とストッパーの間に段差が生じないようにすればよく、そのためには、ストッパーをバレルの内腔より小径の透孔を有するリング状に形成し、バレルの後端からフランジに嵌めこんで固定できるようにすればよいことに想到し、本発明に到達した。すなわち本発明は、バレルの内腔より小径の透孔を有する略リング状のストッパー部と、該ストッパー部の外周縁に軸対称に設けられた少なくとも一対の係合爪部を含み、該係合爪部にフランジと係合する係合爪が設けられてなる、プレフィルドシリンジ用ストッパーに関する。ここで、ストッパーを確り装着するために係合爪部は左右二対設けるのがよい。
【０００７】
【発明の実施の形態】
次に、本発明の実施例について、図面を用いて説明する。
図１は本発明のストッパーの一実施例を示す平面図であり、図２および図４は図１の底面図および斜視図、図３は図１におけるＸ−Ｘ線断面図である。また、図５は図１に示すストッパーをプレフィルドシリンジに装着した状態を示す図であり、図６は図５のストッパーを含む部分のＹ−Ｙ線断面図である。
図１〜図４に示すように、本発明のストッパー１は、ストッパー部１１と係合爪部１３からなる。ストッパー部１１はバレル２の内腔２２より小径の透孔１２を有しており、略リング状に形成されている。係合爪部１３はこのストッパー部１１の外周縁に、軸対称に少なくとも一対設けられており、係合爪部１３には係合爪１４が設けられている。
【０００８】
ストッパー部１１は、ガスケット（図示していない）がバレル２から脱落するのを防ぐ部分であり、そのため、バレル２の内腔２２（内腔の直径）より小径の透孔１２が設けられており、略リング状に形成されている。透孔１２は、通常、図１に示すように円形に形成されるが、必ずしも円形でなくともよく、要はバレル２の内腔２２をスライドして基端方向に移動してきたガスケットと衝突し、その脱落を防止できるものであればよい。従って、ここでバレル２の内腔より小径の透孔１２という場合、透孔１２は必ずしも円形であることを意味しておらず、バレル２の内腔２２側に突出する部分を有するものを含む。
尚、ストパー部１１には、ストッパー部１１のバレル２への装着性と装着後の安定性を良くするために、内腔２２と略同じ径の外径を有し、係合爪１４と同じ側に突出して形成された、バレル内腔２２への装着部５を設けても良い。
【０００９】
ストッパー部１１の外周縁には軸対称に少なくとも一対の係合爪部１３が設けられている。そしてこの係合爪部１３にはバレル２のフランジ２１と係合する係合爪１４が設けられており、この係合爪１４がフランジ２１と係合してストッパー１をバレル２に固定するようになっている。ここで、ストッパー１を確り装着するためには、図１に示すように、係合爪部１３は軸対称に左右二対設けるのがよい。係合爪部１３を二対以上設ける場合、左右対称に設けることにより、指を懸ける部分に係合爪１４が載らないようにすることができるので、指を懸ける部分に違和感の無いストッパー機構を付与することができる。
尚、図中１３１は、成形上必要なら設けても良い開口部である。
【００１０】
【発明の効果】
以上述べたことから明らかなように、本発明を採用することにより、プレフィルドシリンジに指を懸ける部分に違和感の無いストッパー機構を付与することができる。また、特に粘度の低い薬液の充填に好適なストッパー機構付きプレフィルドシリンジを安価に提供することができる。
【図面の簡単な説明】
【図１】本発明のストッパーの一実施例を示す平面図である。
【図２】図１の底面図である。
【図３】図１におけるＸ−Ｘ線断面図である。
【図４】図１の斜視図である。
【図５】図１に示すストッパーをプレフィルドシリンジに装着した状態を示す図である。
【図６】図５のストッパーを含む部分のＹ−Ｙ線断面図である。
【符号の説明】
１　ストッパー
１１　ストッパー部
１２　透孔
１３　係合爪部
１３１　開口部
１４　係合爪
１５　バレル内腔への挿着部
２　バレル
２１　フランジ
２２　内腔
【図１】
2004024574.tif 000003
【図２】
2004024574.tif 000004
【図３】
2004024574.tif 000005
【図４】
2004024574.tif 000006
【図５】
2004024574.tif 000007
【図６】
2004024574.tif 000008